(57)【特許請求の範囲】
【請求項１】
単眼倒像検眼鏡から光を照射した眼底の観察を行うための集光レンズに映る倒像を正像に転換する単眼倒像検眼鏡用像転換アタッチメントであって、
前記集光レンズに映る像を上下左右逆にして見るスコープと、
前記スコープが取り付けられ、かつ、前記単眼倒像検眼鏡に着脱可能に取り付けられる取付部材とを備え、
前記単眼倒像検眼鏡で光を照射した前記眼底の観察を行うとき、前記取付部材を介して前記単眼倒像検眼鏡に取り付けた前記スコープで前記集光レンズに映る倒像が正像に転換させた状態で見られるようにしたことを特徴とする単眼倒像検眼鏡用像転換アタッチメント。
【請求項２】
前記スコープは、前記取付部材に取り付けられ両端部間の距離が可変可能な円筒状の鏡筒と、前記鏡筒の一方の端部に設けられた第１の凸レンズ及び前記鏡筒の他方の端部に設けられた第２の凸レンズからなり、前記取付部材を介して前記鏡筒を前記単眼倒像検眼鏡に取り付けたとき、前記集光レンズ側の凸レンズが対物レンズとなりかつ残りの凸レンズが接眼レンズとなるレンズ部とを有してなる請求項１に記載の単眼倒像検眼鏡用像転換アタッチメント。
【請求項３】
前記鏡筒は、前記第１の凸レンズが対物レンズに前記第２の凸レンズが接眼レンズとなる第１パターンと前記第１の凸レンズが接眼レンズに前記第２の凸レンズが対物レンズとなる第２パターンの２つのパターンで前記取付部材に取り付けられ、
前記第１の凸レンズと前記第２の凸レンズは、前記第１パターンと前記第２パターンとでは接眼レンズとなる凸レンズに映る像の倍率が異なるように度の異なる凸レンズを用いた請求項２に記載の単眼倒像検眼鏡用像転換アタッチメント。
【請求項４】
前記第１の凸レンズと前記第２の凸レンズは、前記第１パターンと前記第２パターンのいずれか一方のパターンのとき、接眼レンズとなる凸レンズに映る像の倍率が略等倍であり、かつ、他方のパターンのとき、接眼レンズとなる凸レンズに映る像の倍率が等倍を超える倍率となるように形成されている請求項３に記載の単眼倒像検眼鏡用像転換アタッチメント。
【請求項５】
前記取付部材は、前記単眼倒像検眼鏡の光を照射する円筒状の鏡筒の外周面に着脱可能に取り付けられ前記単眼倒像検眼鏡の鏡筒の外周面より内周面の径が小さい優弧状の弾性変形可能な検眼鏡取付部材と、前記スコープが取り付けられるスコープ取付部材と、前記検眼鏡取付部材と前記スコープ取付部材を互いに移動可能に連結する連結手段とを有し、
前記検眼鏡取付部材は、内周面が前記単眼倒像検眼鏡の鏡筒の外周面に接触した状態を保持し、かつ、前記単眼倒像検眼鏡の鏡筒にその周方向に移動可能な弾性力を有し、
前記連結手段は、前記検眼鏡取付部材と前記スコープ取付部材のいずれか一方の取付部材に取り付けられ前記単眼倒像検眼鏡の鏡筒の軸に対して直交する方向に延びる支持部材と、残りの他方の取付部材に設けられ前記支持部材が挿入されてこの支持部材を軸に前記一方の取付部材と前記他方の取付部材が互いに回転可能に連結され、かつ、前記支持部材が長手方向に移動し得る長穴とを有する請求項１〜４のいずれか１項に記載の単眼倒像検眼鏡用像転換アタッチメント。
【請求項６】
前記請求項１〜５のいずれか１項に記載の単眼倒像検眼鏡用像転換アタッチメントを備えたことを特徴とする単眼倒像検眼鏡。
【請求項７】
人の頭部の少なくとも前面に装着される装着体と、前方に光を照射する発光部と、前記発光部からの光を照射した眼底の観察を行うための集光レンズに映る倒像を上下左右逆にして正像に転換して見るスコープと、前記装着体に前記スコープを位置調節可能に連結して、前記装着体を前記頭部に装着したとき、前記スコープを正面から見て前記頭部の左右方向の中央部を中心に左右対称の位置に動かせるとともに前記人の眼の前方に動かせかつその眼の前後方向に動かせる連結機構と、前記スコープが取り付けられた前記連結機構のスコープ用取付部材又は前記スコープに前記発光部を位置調節可能に取り付ける取付部材とを備えたことを特徴とする単眼倒像検眼鏡。
【請求項８】
前記取付部材は、前記スコープの外周面に着脱可能に取り付けられ前記スコープの外周面より内周面の径が小さい優弧状の弾性変形可能なスコープ取付部材と、前記発光部が取り付けられる発光部取付部材と、前記スコープ取付部材と前記発光部取付部材を互いに移動可能に連結する連結手段とを有し、
前記スコープ取付部材は、内周面が前記スコープの外周面に接触した状態を保持し、かつ、前記スコープにその周方向に移動可能な弾性力を有し、
前記連結手段は、前記スコープ取付部材と前記発光部取付部材のいずれか一方の取付部材に取り付けられ前記スコープの光軸に対して直交する方向に延びる支持部材と、残りの他方の取付部材に設けられ前記支持部材が挿入されてこの支持部材を軸に前記一方の取付部材と前記他方の取付部材が互いに回転可能に連結され、かつ、前記支持部材が長手方向に移動する長穴とを有する請求項７に記載の単眼倒像検眼鏡。
【請求項９】
前記取付部材は、前記発光部が取り付けられた発光部取付部材と、前記スコープ用取付部材に前記発光部取付部材を移動可能に連結する連結手段とを有し、
前記連結手段は、前記スコープ取付部材と前記発光部取付部材のいずれか一方の取付部材に取り付けられ前記スコープの光軸に対して直交する方向に延びる支持部材と、残りの他方の取付部材に設けられ前記支持部材が挿入されてこの支持部材を軸に前記一方の取付部材と前記他方の取付部材が互いに回転可能に連結され、かつ、前記支持部材が長手方向に移動する長穴とを有する請求項８に記載の単眼倒像検眼鏡。
【請求項１０】
前記スコープは、前記スコープ取付部材に取り付けられ両端部間の距離が可変可能な円筒状の鏡筒と、前記鏡筒の一方の端部に設けられた第１の凸レンズ及び前記鏡筒の他方の端部に設けられた第２の凸レンズからなり、前記取付部材を介して前記鏡筒を前記単眼倒像検眼鏡に取り付けたとき、前記集光レンズ側の凸レンズが対物レンズとなりかつ残りの凸レンズが接眼レンズとなるレンズ部とを有してなる請求項８又は９に記載の単眼倒像検眼鏡。
【請求項１１】
前記鏡筒は、前記第１の凸レンズが対物レンズに前記第２の凸レンズが接眼レンズとなる第１パターンと前記第１の凸レンズが接眼レンズに前記第２の凸レンズが対物レンズとなる第２パターンの２つのパターンで前記スコープ取付部材に取り付けられ、
前記第１の凸レンズと前記第２の凸レンズは、前記第１パターンと前記第２パターンとでは接眼レンズとなる凸レンズに映る像の倍率が異なるように互いの焦点距離が異なる凸レンズを用いた請求項１０に記載の単眼倒像検眼鏡。
【請求項１２】
前記第１の凸レンズと前記第２の凸レンズは、前記第１パターンと前記第２パターンのいずれか一方のパターンのとき、接眼レンズとなる凸レンズに映る像の倍率が略等倍であり、かつ、他方のパターンのとき、接眼レンズとなる凸レンズに映る像の倍率が等倍を超える倍率となるように形成されている請求項１１に記載の単眼倒像検眼鏡。
【発明の詳細な説明】
【技術分野】
【０００１】
本発明は、光を照射した眼底を観察するための集光レンズ越しの倒像を正像に転換する単眼倒像検眼鏡用像転換アタッチメント及び単眼倒像検眼鏡に関するものである。
【背景技術】
【０００２】
単眼倒像検眼鏡は、眼球の内部を検査する際に、光を照射した眼底を倒像で観察するのに用いられるものである（例えば、特許文献１、２参照。）。この単眼倒像検眼鏡は、検査を行う検者が自分の手で持ったり頭に装着したりして検眼鏡からの照射光が患者等の検査対象者の瞳孔から網膜に照射されるように用いられるもので、検者が手で持った集光レンズ（凸レンズ）越しの検査対象者の倒像の眼底像を目視で観察しながら眼底検査が行われている。
【先行技術文献】
【特許文献】
【０００３】
【特許文献１】実開平２−７４００６号公報
【特許文献２】実用新案登録第３１６２５８６号公報
【発明の概要】
【発明が解決しようとする課題】
【０００４】
ところで、上述のように単眼倒像検眼鏡を用いて光によって照射された眼球の内部を集光レンズ越しに倒像で検査する場合、検査対象者との距離を保つことができ、かつ、視野は広く周辺部の観察も容易である、つまり、広い視野で網膜の隅々まで観察できる。しかし、観察する画像が上下左右逆の倒像であることから倒像の画像に慣れるためには熟練を要した。特に検査しながら検査対象者の眼に対して強膜圧迫等の手技を施す場合には、集光レンズ越しに得られる画像すなわち視覚的な情報と、実際に必要となる器具操作の方向が逆であるため熟練を要する。また、検査内容をカルテに記入する際には、カルテには正像に対応させた検査内容を記入するために、熟練者といえども倒像を見ながら正像に対応させて検査内容を記入し難く、カルテを上下左右逆にして検査内容を記入したり工夫するが、字が逆になったりカルテを上下左右逆にし忘れたりすることも考えられる。
本発明が解決しようとする課題は、単眼倒像検眼鏡を用いて光を照射した眼底を観察するための集光レンズ越しの倒像を正像に転換して観察することにある。
【課題を解決するための手段】
【０００５】
前記課題を解決するため、本発明に係る単眼倒像検眼鏡用像転換アタッチメントは、単眼倒像検眼鏡からの光を照射した眼底の観察を行うための集光レンズに映る倒像を正像に転換する単眼倒像検眼鏡用像転換アタッチメントであって、前記集光レンズに映る像を上下左右逆にして見るスコープと、前記スコープが取り付けられ、かつ、前記単眼倒像検眼鏡に着脱可能に取り付けられる取付部材とを備え、前記単眼倒像検眼鏡で前記眼底に光を照射してこの眼底の観察を行うとき、前記取付部材を介して前記単眼倒像検眼鏡に取り付けた前記スコープで前記集光レンズに映る倒像が正像に転換された状態で見られるようにしたことを特徴とする。
【０００６】
このように、スコープを取り付けた取付部材を単眼倒像検眼鏡に取り付けることで、単眼倒像検眼鏡で眼底に光を照射してこの眼底の観察を行うとき、スコープで集光レンズに映る倒像を正像に転換された状態で見ることができ、熟練を要することなく眼底の観察や検査しながら検査対象者の眼に対して強膜圧迫等の手技を施せ、かつ、検査内容をカルテに正確に記入することができる。
【０００７】
この場合において、スコープを、取付部材に取り付けられ両端部間の距離が可変可能な円筒状の鏡筒と、鏡筒の一方の端部に設けられた第１の凸レンズ及び鏡筒の他方の端部に設けられた第２の凸レンズからなり、取付部材を介して鏡筒を単眼倒像検眼鏡に取り付けたとき、集光レンズ側の凸レンズが対物レンズとなりかつ残りの凸レンズが接眼レンズとなるレンズ部とを有してなることができる。また、鏡筒を、第１の凸レンズが対物レンズに第２の凸レンズが接眼レンズとなる第１パターンと第１の凸レンズが接眼レンズに第２の凸レンズが対物レンズとなる第２パターンの２つのパターンで取付部材に取り付け、第１の凸レンズと第２の凸レンズを、第１パターンと第２パターンとでは接眼レンズとなる凸レンズに映る像の倍率が異なるように度の異なる凸レンズを用いることができる。さらに、第１の凸レンズと第２の凸レンズを、第１パターンと第２パターンのいずれか一方のパターンのとき、接眼レンズとなる凸レンズに映る像の倍率が略等倍であり、かつ、他方のパターンのとき、接眼レンズとなる凸レンズに映る像の倍率が等倍を超える倍率となるように形成することができる。
【０００８】
また、この場合において、取付部材を、単眼倒像検眼鏡の光を照射する円筒状の鏡筒の外周面に着脱可能に取り付けられ単眼倒像検眼鏡の鏡筒の外周面より内周面の径が小さい優弧状の弾性変形可能な検眼鏡取付部材と、スコープが取り付けられるスコープ取付部材と、検眼鏡取付部材とスコープ取付部材を互いに移動可能に連結する連結手段とで構成し、検眼鏡取付部材が、内周面が単眼倒像検眼鏡の鏡筒の外周面に接触した状態を保持し、かつ、単眼倒像検眼鏡の鏡筒にその周方向に移動可能な弾性力を有し、連結手段を、検眼鏡取付部材とスコープ取付部材のいずれか一方の取付部材に取り付けられ単眼倒像検眼鏡の鏡筒の軸に対して直交する方向に延びる支持部材と、残りの他方の取付部材に設けられ支持部材が挿入されてこの支持部材を軸に前記一方の取付部材と他方の取付部材が互いに回転可能に連結され、かつ、支持部材が長手方向に移動し得る長穴とで構成することができる。
【０００９】
また、前記課題を解決するため、本発明に係る単眼倒像検眼鏡は、この単眼倒像検眼鏡用像転換アタッチメントを備えることを特徴とする。このように構成しても、前述と同様の作用効果を奏し、光を照射した眼底を観察するための集光レンズ越しの倒像を正像に転換して観察することができる。
【００１０】
また、前記課題を解決するため、本発明に係る単眼倒像検眼鏡は、人の頭部の少なくとも前面に装着される装着体と、前方に光を照射する発光部と、発光部からの光を照射した眼底の観察を行うための集光レンズに映る倒像を上下左右逆にして正像に転換して見るスコープと、装着体に前記スコープを位置調節可能に連結して、装着体を頭部に装着したとき、スコープを正面から見て頭部の左右方向の中央部を中心に左右対称の位置に動かせるとともに人の眼の前方に動かせかつその眼の前後方向に動かせる連結機構と、スコープが取り付けられた連結機構のスコープ用取付部材又はスコープに発光部を位置調節可能に取り付ける取付部材とを備えたことを特徴とする。このように構成しても、前述と同様の作用効果を奏し、光を照射した眼底を観察するための集光レンズ越しの倒像を正像に転換して観察することができる。
【００１１】
この場合において、取付部材を、スコープの外周面に着脱可能に取り付けられスコープの外周面より内周面の径が小さい優弧状の弾性変形可能なスコープ取付部材と、発光部が取り付けられる発光部取付部材と、スコープ取付部材と発光部取付部材を互いに移動可能に連結する連結手段とで構成し、スコープ取付部材が、内周面がスコープの外周面に接触した状態を保持し、かつ、スコープにその周方向に移動可能な弾性力を有し、連結手段を、スコープ取付部材と発光部取付部材のいずれか一方の取付部材に取り付けられスコープの光軸に対して直交する方向に延びる支持部材と、残りの他方の取付部材に設けられ支持部材が挿入されてこの支持部材を軸に前記一方の取付部材と他方の取付部材が互いに回転可能に連結され、かつ、支持部材が長手方向に移動する長穴とで構成することができる。
【００１２】
また、この場合において、取付部材を、発光部が取り付けられた発光部取付部材と、スコープ用取付部材に発光部取付部材を移動可能に連結する連結手段とで構成し、連結手段を、スコープ取付部材と発光部取付部材のいずれか一方の取付部材に取り付けられスコープの光軸に対して直交する方向に延びる支持部材と、残りの他方の取付部材に設けられ支持部材が挿入されてこの支持部材を軸に一方の取付部材と他方の取付部材が互いに回転可能に連結され、かつ、支持部材が長手方向に移動する長穴とで構成することができる。
【発明の効果】
【００１３】
本発明によれば、単眼倒像検眼鏡を用いて光を照射した眼底を観察するための集光レンズ越しの倒像を正像に転換して観察することができる。
【図面の簡単な説明】
【００１４】
【図１】本発明に係る一例の実施形態の単眼倒像検眼鏡用像転換アタッチメントを示す図で、（ａ）は一部断面側面図、（ｂ）は正面図である。
【図２】本実施形態の単眼倒像検眼鏡用像転換アタッチメントを示す一部断面図で、（ａ）は第１パターンで使用したときの状態を示す図、（ｂ）は第２パターンで使用したときの状態を示す図である。
【図３】本実施形態の単眼倒像検眼鏡で集光レンズを見た状態を示す斜視図である。
【図４】本実施形態の単眼倒像検眼鏡用像転換アタッチメントを取り付けた単眼倒像検眼鏡の一例を示し、発光部の下方にスコープを配置した状態を示す図で、（ａ）は側面図、（ｂ）は正面図である。
【図５】本発明に係る他の例の実施形態の単眼倒像検眼鏡用像転換アタッチメントを示す図で、（ａ）は一部断面側面図、（ｂ）は正面図である。
【図６】本発明に係る他の例の倒像検眼鏡用像転換アタッチメントを取り付けた手持式の単眼倒像検眼鏡を示す側面図である。
【図７】本発明に係る他の例の単眼倒像検眼鏡を示す側面図である。
【図８】本発明に係る他の例の単眼倒像検眼鏡を示す側面図である。
【発明を実施するための形態】
【００１５】
以下、本発明に係る単眼倒像検眼鏡用像転換アタッチメント及び本発明に係る単眼倒像検眼鏡の実施形態を添付図面に基づいて説明する。本実施形態の単眼倒像検眼鏡用像転換アタッチメント（以下、単に「アタッチメント」ということがある。）は、図１〜図４に示すように、単眼倒像検眼鏡２からの光を照射した眼底の観察を行うための集光レンズ３に映る倒像を正像に転換するものである。単眼倒像検眼鏡２としては、特に限定されず周知のものを用いることができ、例えば、本出願人が先に提案した特許文献２に記載された単眼倒像検眼鏡２（以下、単に「検眼鏡２」ということがある。）を用いることができる。検眼鏡２は、人の頭部１１に装着される装着体２２に、光を照射する発光部２３を位置調節可能に連結機構２４で連結したものである。
【００１６】
装着体２２は、人の頭部１１に装着されるメガネフレームと略同じ形状の装着フレームである。装着体２２は、人の額の前面に位置されるフロント２２ａと、フロント２２ａの両側がそれぞれほぼ直角に折り曲げられた端部にヒンジを介して連結され、こめかみ及び側頭部に装着されて耳にかけられるテンプル２２ｂと、フロント２２ａの中央部から下方に延びる取付部２２ｃに設けられた鼻あてでもあるパッド２２ｄとを備えている。
【００１７】
発光部２３は、ＬＥＤを光源として絞り調節可能で頭部１１の前面近傍から前方に光を照射するもので、円筒状の鏡筒２３ａを備えている。鏡筒２３ａには、ＬＥＤを発光させるための電力を供給する電源ケーブル３９が接続されている。
【００１８】
連結機構２４は、装着体２２と発光部２３に両端が取り付けられるアーム２５と、アーム２５の一方の端部である装着体２２側の一端を回転可能でかつ回転位置に保持する回転支持部２６と、アーム２５の途中に設けられアーム２５を３次元的に屈曲可能でかつ屈曲状態を保持する自在継手２７とを備えている。アーム２５は、ボックスであるスイッチボックス２８を介して装着体２２に取り付けられている。
【００１９】
装着体２２の取付部２２ｃには、一対の支持片２２ｅが一体に設けられている。一対の支持片２２ｅには、第２軸としての第２ピン２２ｆを介してスイッチボックス２８が垂下状態から９０°以上回転可能に支持されている。また、スイッチボックス２８には、スイッチ機構が設けられている。スイッチ機構は、スイッチボックス２８が垂下された垂下状態から上方に所望の角度回転した位置までは発光部２３から光が照射可能なオン状態で、その所望の角度を超えてスイッチボックス２８が上方に回転した状態では発光部２３から光が照射されないオフ状態にするものである。また、スイッチボックス２８内には、垂下状態から上方に所望の角度以上回転したときに発光部２３から光が照射されないオフ状態にするリミットスイッチを設けるようにしてもよい。また、スイッチボックス２８の底面には、アーム２５の一端が取り付けられている。アーム２５の一端の取付は、回転支持部２６によって行われ、頭部１１の前後方向に延びる第１軸である第１ピンを軸に回転可能に支持しかつ回転位置に保持されるようになっている。
【００２０】
アーム２５は、例えば、第１アーム３１、第２アーム３２及び第３アーム３３の３つからなり、これら３つのアーム３１、３２、３３は自在継手２７としてのボールジョイントによりそれぞれ３次元的に屈曲可能に連結されている。すなわち、アーム２５の途中にボールジョイントが２つ設けられている。また、第３アーム３３には、鏡筒２３ａの基端部が例えばネジ部材により着脱可能に取り付けられている。第３アーム３３と鏡筒２３ａは、略Ｌ字状に形成されている。第１アーム３１、第２アーム３２及び第３アーム３３をボールジョイントで連結して直線状に伸ばした全体のアーム２５の長手方向の長さ、すなわち、回転支持片２２ｅに対するアーム２５の第１ピンの軸から鏡筒２３ａの軸までの長さは、人の目の中心つまり黒目の近傍の上下に鏡筒２３ａを位置させることができれば、特に限定されない。
【００２１】
本実施形態のアタッチメント１は、検眼鏡２からの光を照射した眼底の観察を行うための集光レンズ３に映る像を上下左右逆にして見るスコープ４と、スコープ４が取り付けられ、かつ、検眼鏡２に着脱可能に取り付けられる取付部材５とを備えている。
【００２２】
スコープ４は、集光レンズ３に映る像を上下左右逆にして見ることができれば特に限定されず、プリズムを用いてもよいが、凸レンズを用いることが好ましい。このスコープ４は、円筒状の鏡筒４１と、鏡筒４１の一方の端部に設けられた第１の凸レンズ４２及び鏡筒の他方の端部に設けられた第２の凸レンズ４３からなるレンズ部４４とを有している。
【００２３】
鏡筒４１は、例えば、２つの円筒状の第１鏡筒部材４５と第２鏡筒部材４６とからなる。第１鏡筒部材４５と第２鏡筒部材４６とは、略同じ径の円筒体状に形成されている。第１鏡筒部材４５と第２鏡筒部材４６の一方の部材例えば第１鏡筒部材４５の一方の端部外周には、ネジ山が設けられてネジ部４５ａとして形成されている。また、第１鏡筒部材４５のネジ部４５ａの近傍の外周には、フランジ４７が設けられている。第１鏡筒部材４５と第２鏡筒部材４６の他方の部材例えば第２鏡筒部材４６の一方の端部は、拡径された拡径部４６ｂとして形成されている。第２鏡筒部材４６の拡径部４６ｂの内周面には、第１鏡筒部材４５のネジ部４５ａが螺合するネジ溝が設けられてネジ部４６ａとして形成されている。これら第１鏡筒部材４５のネジ部４５ａと第２鏡筒部材４６のネジ部４６ａが螺合されて連結されることで、鏡筒４１が形成されている。この鏡筒４１は、たがいに螺合して第２鏡筒部材４６の一方の端面が第１鏡筒部材４５のフランジ４７に当接した状態が長手方向の長さが一番短い状態であり、この状態から第１鏡筒部材４５と第２鏡筒部材４６を一方または両方の鏡筒部材を回転させることで、鏡筒４１の長さの調節すなわちピントの調節を行えるようになっている。また、鏡筒４１の両端部内、すなわち、第１鏡筒部材４５と第２鏡筒部材４６の他方の端部内は、それぞれレンズ収容部４５ｃ、４６ｃとして形成されている。これらレンズ収容部４５ｃ、４６ｃに収容された凸レンズが鏡筒４１の両端部に螺合により取り付けられたカバー４９によって鏡筒４１から離脱されないようになっている。
【００２４】
レンズ部４４は、鏡筒４１の一方の端部であるレンズ収容部４５ｃに設けられた第１の凸レンズ４２と鏡筒４１の他方の端部であるレンズ収容部４６ｃに設けられた第２の凸レンズ４３とからなる。第１の凸レンズ４２と第２の凸レンズ４３は、それぞれ１つ又は２つ以上、例えば、それぞれ２つの凸レンズからなる。このように、第１の凸レンズ４２と第２の凸レンズ４３がそれぞれ２つの凸レンズからなることで、倒立像を得ることができる。第１の凸レンズ４２と第２の凸レンズ４３は、一方の凸レンズが対物レンズで、残りの凸レンズが接眼レンズとなるもの、すなわち、第１の凸レンズ４２が対物レンズに第２の凸レンズ４３が接眼レンズとなる第１パターンと、第１の凸レンズ４２が接眼レンズに第２の凸レンズ４３が対物レンズとなる第２パターンの２つのパターンでスコープ４が使用可能になっている。
【００２５】
また、第１の凸レンズ４２と第２の凸レンズ４３は、第１パターンと第２パターンとで接眼レンズとなる凸レンズに映る像の倍率が異なるように互いの焦点距離が異なる凸レンズを用いることが好ましい。特に、第１の凸レンズ４２と第２の凸レンズ４３は、第１パターンと第２パターンのいずれか一方のパターンの場合で、通常、単眼倒像検眼鏡で使用する距離でスコープ４によって像を見たとき、接眼レンズとなる凸レンズに映る像の倍率が略等倍で、他方のパターンの場合、接眼レンズとなる凸レンズに映る像の倍率が等倍を超える倍率となるように形成することが好ましい。具体的には例えば、一方のレンズ例えば第１の凸レンズ４２に第２の凸レンズ４３より度の強いレンズを用いて、第１パターンのときに接眼レンズとなる第２の凸レンズ４３に映る像の倍率を略等倍（図２（ａ）参照。）に、第２パターンのときに接眼レンズとなる第１の凸レンズ４２に映る像の倍率が等倍を超える倍率（図２（ｂ）参照。）となるようにしてもよい。
【００２６】
取付部材５は、スコープ４を検眼鏡２に着脱可能に取り付けるものである。取付部材５は、例えば、検眼鏡２の鏡筒２３ａの外周面に着脱可能に取り付けられる検眼鏡取付部材５１と、スコープ４が取り付けられるスコープ取付部材５２と、検眼鏡取付部材５１とスコープ取付部材５２を互いに移動可能に連結する連結手段５３とを有している。
【００２７】
検眼鏡取付部材５１は、平板状の基部５１ａと、基部５１ａの一端が優弧状に形成された円弧部５１ｂとが弾性変形可能な例えば合成樹脂で形成されてなる。円弧部５１ｂは、曲率半径が可変する弾性変形可能で、内周面の径が検眼鏡２の鏡筒２３ａの外周面の径より小さく形成されている。円弧部５１ｂは、開口部が広がって円弧部５１ｂの曲率半径が大きく弾性変形して開口部から鏡筒２３ａが内部に押し込まれて内周面に鏡筒２３ａの外周面が接触しかつこの状態が保持され得る弾性力及び周方向の長さに形成されてなる。また、円弧部５１ｂは、検眼鏡２の鏡筒２３ａにその周方向及び軸方向に移動可能な弾性力で形成されている。
【００２８】
スコープ取付部材５２は、平板状の基部５２ａと、基部５２ａの一端が優弧状に形成された円弧部５２ｂとが弾性変形可能な例えば合成樹脂で形成されてなる。円弧部５２ｂは、曲率半径が可変する弾性変形可能で、内周面の径がスコープ４の外周面の径より小さく形成されている。円弧部５２ｂは、開口部が広がって円弧部の曲率半径が大きく弾性変形して開口部からスコープ４が内部に押し込まれて内周面にスコープ４の外周面が接触しかつこの状態が保持され得る弾性力及び周方向の長さに形成されてなる。また、円弧部５２ｂは、スコープ４にその周方向及び軸方向に移動可能な弾性力で形成されている。円弧部５２ｂの基部５２ａが連接されている部分は、基部５２ａより厚さが厚く形成されて、円弧部５２ｂと基部５２ａの境目に段部が形成されている。この基部の下面に検眼鏡取付部材５１の基部５１ａの上面が接触した状態でスコープ取付部材５２と検眼鏡取付部材５１が連結手段５３によって連結される。
【００２９】
連結手段５３は、検眼鏡取付部材５１とスコープ取付部材５２を互いに移動可能に連結することができればその構成は特に限定されず、検眼鏡取付部材５１とスコープ取付部材５２のいずれか一方の取付部材、例えば、検眼鏡取付部材５１に取り付けられる支持部材５４と、残りの他方の取付部材、例えば、スコープ取付部材５２に設けられ支持部材５４が挿入される穴５５とを有している。支持部材５４は、例えば、検眼鏡取付部材５１の基部５１ａの上面から直交する方向すなわち検眼鏡取付部材５１を検眼鏡２の鏡筒２３ａに取り付けたとき鏡筒２３ａの軸に対して直交する方向に延びて取り付けられている。支持部材５４は、例えば、操作ネジである。この支持部材５４のネジ部が螺合するネジ穴５６が検眼鏡取付部材５１の基部５１ａに設けられている。穴５５は、支持部材５４のネジ部が挿入されて貫通可能であるが、操作部５４ａが挿入できない大きさでスコープ取付部材５２の基部５２ａに形成されている。また、穴５５は、スコープ取付部材５２の基部５２ａの長手方向（円弧部５２ｂの軸に対して直交する方向）に長く支持部材５４のネジ部が長手方向に移動し得る長穴に形成されている。この穴５５の長手方向の長さは任意に設定される。
【００３０】
これにより、支持部材５４のネジ部をワッシャーを通してスコープ取付部材５２の基部５２ａの穴５５に上面から挿入して貫通させつつ検眼鏡取付部材５１の基部５１ａのネジ穴５６に螺合させて操作部５４ａと検眼鏡取付部材５１の基部５１ａでスコープ取付部材５２の基部５２ａを締め付けることで検眼鏡取付部材５１とスコープ取付部材５２が連結されるようになっている。また、支持部材５４を検眼鏡取付部材５１の基部５１ａに対して回転させて操作部５４ａと検眼鏡取付部材５１の基部５１ａによるスコープ取付部材５２の基部５２ａの締め付けを緩めて、検眼鏡取付部材５１に対してスコープ取付部材５２を支持部材５４を軸に回転させることで、検眼鏡取付部材５１に対するスコープ取付部材５２の位置が調節されるようになっている。さらに、支持部材５４が穴の長手方向に移動し得る範囲で検眼鏡取付部材５１に対するスコープ取付部材５２の位置が調節されるようになっている。
【００３１】
さて、このアタッチメント１を検眼鏡２に取り付けるには、まず、支持部材５４により連結されていない検眼鏡取付部材５１の円弧部５１ｂの開口部を形成する両端部に検眼鏡２の鏡筒２３ａの外表面を接触させる。この状態から鏡筒２３ａを円弧部５１ｂ内側に押圧すると、円弧部５１ｂの開口部が広がって円弧部５１ｂの曲率半径が大きく弾性変形して鏡筒２３ａが円弧部５１ｂ内に押し込まれ、円弧部５１ｂの弾性力によって円弧部５１ｂの内周面に鏡体２３ａの外周面が接触してその状態が保持される。すなわち、円弧部５１ｂ内に鏡筒２３ａが嵌め込まれた状態で検眼鏡取付部材５１が発光部２３の鏡筒２３ａに取り付けられる。
【００３２】
また、スコープ取付部材５２の円弧部５２ｂの開口部を形成する両端部にスコープ４の外表面を接触させる。この状態からスコープ４を円弧部５２ｂ内側に押圧すると、円弧部５２ｂの開口部が広がって円弧部５２ｂの曲率半径が大きく弾性変形してスコープ４が円弧部５２ｂ内に押し込まれ、円弧部５２ｂの弾性力によって円弧部５２ｂの内周面にスコープ４の外周面が接触してその状態が保持される。すなわち、円弧部５２ｂ内にスコープ４が嵌め込まれた状態でスコープ取付部材５２がスコープ４に取り付けられる。
【００３３】
次に、支持部材５４のネジ部をワッシャーを通してスコープ取付部材５２の基部５２ａの穴５５に上面から挿入して貫通させつつ検眼鏡取付部材５１の基部５１ａのネジ穴５６に螺合させて操作部５４ａと検眼鏡取付部材５１の基部５１ａでスコープ取付部材５２の基部５２ａを締め付ける。これにより、本実施形態のアタッチメント１が検眼鏡２に取り付けられる。このように、検眼鏡取付部材５１の円弧部５１ｂに検眼鏡２の鏡筒２３ａを押し込み、かつ、スコープ取付部材５２の円弧部５２ｂにスコープ４を押し込み、支持部材５４をスコープ取付部材５２の基部５２ａの穴５５に挿入して検眼鏡取付部材５１の基部５１ａのネジ穴５６に螺合させることで、アタッチメント１を検眼鏡２に取り付けることができるので、アタッチメント１の検眼鏡２への取付を簡単に行える。なお、互いに連結されていない検眼鏡取付部材５１とスコープ取付部材５２に検眼鏡２の鏡筒２３ａとスコープ４を取り付けたが、支持部材５４を用いて検眼鏡取付部材５１とスコープ取付部材５２を連結してからそれぞれ検眼鏡２の鏡筒２３ａとスコープ４を取り付けるようにしてもよい。
【００３４】
アタッチメント１を取り付けた検眼鏡２を用いて眼底の倒像検査を行うには、まず、装着体２２をメガネのように頭部１１にかけて装着する。これにより、ＬＥＤを光源として発光部２３の鏡筒２３ａから光が照射されるので、照射光が患者等の検査対象者の瞳孔から眼底すなわち網膜に照射されるように発光部２３の位置を連結機構２４によって調節する。発光部２３の位置を調節した後、スコープ４の位置を連結手段５３により調節する。スコープ４の位置調節は、検者が目視で検査対象者の目を観察しながら眼底検査を行うために片手で持った集光レンズ３に映る像がスコープ４で見られるように行う。
【００３５】
具体的には、この調節は、支持部材５４を検眼鏡取付部材５１の基部５１ａに対して回転させて操作部５４ａと検眼鏡取付部材５１の基部５１ａによるスコープ取付部材５２の基部５２ａの締め付けを緩めて、検眼鏡取付部材５１に対してスコープ取付部材５２を支持部材５４を軸に回転させたり、支持部材５４が穴の長手方向に移動し得る範囲で眼鏡取付部材に対してスコープ取付部材５２を移動させたりして行う。さらに、検眼鏡２の鏡筒２３ａへのアタッチメント１の取付部材５の取付は、鏡筒２３ａの外周に検眼鏡取付部材５１の円弧部５１ｂの内周面を接触させて円弧部５１ｂの弾性力によって行っているから、鏡筒２３ａに対して検眼鏡取付部材５１すなわちアタッチメント１を鏡筒２３ａの外周面の周方向に移動することができ、かつ、アタッチメント１を鏡筒２３ａの軸方向にも移動することができる。その結果、発光部２３すなわち検眼鏡２に対してスコープ４の位置を所望の位置に容易に位置決めでき、かつ、スコープ４の位置の微調節を行える。また、検眼鏡２の発光部２３に対するスコープ４の位置は、発光部２３の周囲のアーム２５が邪魔にならない範囲から任意に位置決めでき、例えば、図１〜図３に示すように、発光部２３の上方に位置させてもよいし、図４に示すように、発光部２３の下方に位置させてもよい。
【００３６】
そして、アタッチメント１を取り付けた検眼鏡２で眼底に光を照射してこの眼底の観察を行うとき、スコープ４で集光レンズ３に映る倒像を正像に転換された状態で見ることができる。すなわち、検眼鏡を用いて光を照射した眼底を観察するための集光レンズ３越しの倒像を正像に転換して観察することができる。その結果、熟練を要することなく眼底の観察がし易く、かつ、検査しながら検査対象者の眼に対して強膜圧迫等の手技をし易くなる。また、検査内容をカルテに正確に記入することができる。
【００３７】
スコープ４が、取付部材５に取り付けられ両端部間の距離が可変可能な円筒状の鏡筒４１と、鏡筒４１の一方の端部に設けられた第１の凸レンズ４２及び鏡筒４１の他方の端部に設けられた第２の凸レンズ４３からなるレンズ部４４とを有してなることで、簡単な構造でスコープ４を形成することができる。
【００３８】
第１の凸レンズ４２と第２の凸レンズ４３に度の異なる凸レンズを用い、かつ、第１の凸レンズ４２と第２の凸レンズ４３を逆にして鏡筒４１を取付部材５に取り付けられるようにする、すなわち、第１の凸レンズ４２が対物レンズに第２の凸レンズ４３が接眼レンズとなる第１パターンと第１の凸レンズ４２が接眼レンズに第２の凸レンズ４３が対物レンズとなる第２パターンの２つのパターンで鏡筒４１の取付を行えるようにすること、例えば、一方のパターンのとき接眼レンズとなる凸レンズに映る像の倍率を略等倍に、他方のパターンのとき接眼レンズとなる凸レンズに映る像の倍率を等倍を超える倍率となるようにすることで、眼底の観察や強膜圧迫等の手技を行う際の画像を観察や手技に応じて変えることができるので、汎用性が高い。
【００３９】
図５は、本実施形態のアタッチメントの他の一例を示す図である。このアタッチメントの前記のアタッチメントと異なる点は、取付部材が一体に形成されている点である。すなわち、図５に示すように、取付部材６０は、検眼鏡２の鏡筒２３ａの外周面に着脱可能に取り付けられる検眼鏡取付部６１とスコープ４が取り付けられるスコープ取付部６２とが弾性変形可能な例えば合成樹脂で一体に形成されてなる。
【００４０】
検眼鏡取付部６１は、曲率半径が可変する弾性変形可能な優弧状で、内周面の径が検眼鏡２の鏡筒２３ａの外周面の径より小さく形成されてなる。検眼鏡取付部６１は、開口部が広がって検眼鏡取付部６１の曲率半径が大きく弾性変形して開口部から鏡筒２３ａが内部に押し込まれて内周面に鏡体２３ａの外周面が接触しかつこの状態が保持され得る弾性力及び周方向の長さに形成されている。また、検眼鏡取付部６１は、検眼鏡２の鏡筒２３ａにその周方向及び軸方向に移動可能な弾性力で形成されている。
【００４１】
スコープ取付部６２は、曲率半径が可変する弾性変形可能な優弧状で、内周面の径がスコープ４の外周面の径より小さく、かつ、開口部が検眼鏡取付部６１の開口部の反対側に位置されて形成されてなる。スコープ取付部６２は、開口部が広がってスコープ取付部６２の曲率半径が大きく弾性変形して開口部からスコープ４が内部に押し込まれて内周面にスコープ４の外周面が接触しかつこの状態が保持され得る弾性力及び周方向の長さに形成されてなる。また、スコープ取付部６２は、スコープ４にその周方向及び軸方向に移動可能な弾性力で形成されている。
【００４２】
このアタッチメント６を検眼鏡２に取り付けるには、まず、検眼鏡取付部６１の開口部を形成する両端部に検眼鏡２の鏡筒２３ａの外表面を接触させる。この状態から鏡筒２３ａを検眼鏡取付部６１側に押圧すると、検眼鏡取付部６１の開口部が広がって検眼鏡取付部６１の曲率半径が大きく弾性変形して鏡筒２３ａが検眼鏡取付部６１内に押し込まれ、検眼鏡取付部６１の弾性力によって検眼鏡取付部６１の内周面に鏡体２３ａの外周面が接触してその状態が保持される。すなわち、検眼鏡取付部６１内に鏡筒２３ａが嵌め込まれた状態で取付部材６０が鏡筒２３ａに取り付けられる。
【００４３】
次に、スコープ取付部６２の開口部を形成する両端部にスコープ４の外表面を接触させる。この状態からスコープ４をスコープ取付部６２側に押圧すると、スコープ取付部６２の開口部が広がってスコープ取付部６２の曲率半径が大きく弾性変形してスコープ４がスコープ取付部６２内に押し込まれ、スコープ取付部６２の弾性力によってスコープ取付部６２の内周面にスコープ４の外周面が接触してその状態が保持される。すなわち、スコープ取付部６２内にスコープ４が嵌め込まれた状態でスコープ４が取付部材６０に取り付けられる。これにより、検眼鏡２にアタッチメント６が取り付けられる。なお、アタッチメント６を検眼鏡２に取り付けるのに、取付部材６０を検眼鏡２の鏡筒２３ａに取り付けてからスコープ４をその取付部材６０に取り付けるようにしたが、スコープ４を取付部材６０に取り付けてからこの取付部材６０を検眼鏡２の鏡筒２３ａに取り付けるようにしてもよい。
【００４４】
このようにアタッチメント６を取り付けた検眼鏡２を用いることで、眼底に光を照射してこの眼底の観察を行うとき、スコープ４で集光レンズ３に映る倒像を正像に転換された状態で見ることができる。すなわち、検眼鏡２を用いて光を照射した眼底を観察するための集光レンズ３越しの倒像を正像に転換して観察することができる。その結果、熟練を要することなく眼底の観察がし易く、かつ、検査しながら検査対象者の眼に対して強膜圧迫等の手技をし易くなる。また、検査内容をカルテに正確に記入することができる。
【００４５】
図６は、本実施形態のアタッチメントの他の一例を示す図である。このアタッチメントの前記のアタッチメントと異なる点は、手持式の検眼鏡に取り付けられるようにした点である。すなわち、図６に示すように、取付部材７０は、従来周知の手持式の検眼鏡８の発光部８１の鏡筒８１ａの上部に跨って取り付けられるようにＵ字状に弾性変形可能な例えば合成樹脂で形成されている。取付部材７０の湾曲している基部７０ａは、内周面が優弧状に形成されてなる。基部７０ａは、開口部が広がって基部７０ａの曲率半径が大きく弾性変形して開口部から検眼鏡８の鏡筒８１ａが基部７０ａに押し込まれて内周面にスコープ４の外周面が接触して取付部材７０が鏡筒８１ａに取り付けられるように形成されている。取付部材７０の両側部７０ｂには、側部７０ｂが延びる方向に長い長穴７１がそれぞれ形成されている。また、検眼鏡８の鏡筒８１ａの上部には、光の照射方向と直交する方向に貫通する穴が設けられている。
【００４６】
この鏡筒８１ａの穴と取付部材７０の両側部７０ｂの穴７１とを穴合わせし、これら穴７１に順次支持部材であるボルト７２を通し、穴を貫通したボルト７２のネジ部にナットを螺合させてボルト７２の頭部とナットの締め付けにより、取付部材７０すなわちアタッチメント７が鏡筒８１ａに取り付けられるようになっている。また、ボルト７２とナットの締め付けを緩めることで、鏡筒８１ａに対してアタッチメント７がボルト７２を軸に回転可能になり、かつ、ボルト７２が長穴７１の長手方向に移動し得る範囲で鏡筒８１ａに対してスコープ４の移動を行える。その結果、鏡筒８１ａすなわち検眼鏡８に対してスコープ４の位置を所望の位置に容易に位置決めでき、かつ、スコープ４の位置の微調節を行える。
【００４７】
このようにアタッチメント７を取り付けた検眼鏡８を用いることで、眼底に光を照射してこの眼底の観察を行うとき、スコープ４で集光レンズ３に映る倒像を正像に転換された状態で見ることができる。すなわち、検眼鏡８を用いて光を照射した眼底を観察するための集光レンズ３越しの倒像を正像に転換して観察することができる。その結果、熟練を要することなく眼底の観察がし易く、かつ、検査内容をカルテに正確に記入することができる。
【００４８】
図７及び図８は、本実施形態の検眼鏡の他の一例を示す図である。この検眼鏡（前記の検眼鏡と区別するために以下「第３の検眼鏡」という。）は、スコープ４の位置を決めた後にスコープ４に対して発光部２３を移動させられるようにしたものである。この第３の検眼鏡の基本的な構造は、前記の検眼鏡２と略同じであるのでその説明を省略し同一符号を付することがある。
【００４９】
第３の検眼鏡は、図７及び図８に示すように、人の頭部１１の少なくとも前面に装着される装着体２２と、前方に光を照射する発光部２３と、発光部２３からの光を照射した眼底の観察を行うための集光レンズ３に映る倒像を上下左右逆にして正像に転換して見るスコープ４と、装着体２２にスコープ４を位置調節可能に連結して、装着体２２を頭部１１に装着したとき、スコープ４を正面から見て頭部１１の左右方向の中央部を中心に左右対称の位置に動かせるとともに人の眼の前方に動かせかつその眼の前後方向に動かせる連結機構２４と、スコープ４が取り付けられた連結機構２４のスコープ用取付部材２９又はスコープ４に発光部２３を位置調節可能に取り付ける取付部材９０とを備えている。
【００５０】
スコープ用取付部材２９は、連結機構２４のアーム２５の他端に設けられている。スコープ用取付部材２９は、スコープ４を着脱可能に取り付けることができればその構成は特に限定されず、例えば、スコープ４の外周面に着脱可能に取り付けられる弾性変形可能な例えば合成樹脂で形成されている。スコープ用取付部材２９は、曲率半径が可変する弾性変形可能で、内周面の径がスコープ４の外周面の径より小さい優弧状に形成されている。スコープ用取付部材２９は、開口部が広がってスコープ用取付部材２９の曲率半径が大きく弾性変形して開口部からスコープ４が内部に押し込まれて内周面にスコープ４の外周面が接触しかつこの状態が保持され得る弾性力及び周方向の長さに形成されている。スコープ用取付部材２９は、図示例では、装着体２２を人の頭部１１に装着したとき、開口部が下方に向くように形成されているが、これに限定されず、左右や斜め上方等その他の方向に向くように形成してもよい。なお、スコープ用取付部材２９は、図７に示す例ではスコープ４の拡径部４６ｂと異なる個所のスコープ４の外周に取り付けられ、図８に示す例ではスコープ４の拡径部４６ｂの外周に取り付けられるようにそれぞれ形成されている。
【００５１】
取付部材９０は、発光部２３をスコープ４又はスコープ用取付部材２９に位置調節可能に取り付けるものである。取付部材９０は、図７に示す例では、スコープ４に発光部２３を取り付けるものである。この取付部材９０は、図７に示すように、スコープ４の外周面に着脱可能に取り付けられるスコープ取付部材９１と、発光部２３の鏡筒２３ａが取り付けられる発光部取付部材９２と、スコープ取付部材９１と発光部取付部材９２を互いに移動可能に連結する連結手段９３とを有している。
【００５２】
スコープ取付部材９１は、平板状の基部９１ａと、基部９１ａの一端が優弧状に形成された円弧部９１ｂとが弾性変形可能な例えば合成樹脂で形成されてなる。円弧部９１ｂは、曲率半径が可変する弾性変形可能で、内周面の径がスコープ４の外周面の径より小さく形成されている。円弧部９１ｂは、開口部が広がって円弧部９１ｂの曲率半径が大きく弾性変形して開口部からスコープ４が内部に押し込まれて内周面にスコープ４の外周面が接触しかつこの状態が保持され得る弾性力及び周方向の長さに形成されてなる。また、円弧部９１ｂは、スコープ４の外周にその周方向及び軸方向に移動可能な弾性力で形成されている。
【００５３】
発光部取付部材９２は、平板状の基部９２ａと、基部９２ａの一端が優弧状に形成された円弧部９２ｂとが弾性変形可能な例えば合成樹脂で形成されてなる。円弧部９２ｂは、曲率半径が可変する弾性変形可能で、内周面の径が発光部２３の鏡筒２３ａの外周面の径より小さく形成されている。円弧部９２ｂは、開口部が広がって円弧部９２ｂの曲率半径が大きく弾性変形して開口部から鏡筒が内部に押し込まれて内周面に鏡筒２３ａの外周面が接触しかつこの状態が保持され得る弾性力及び周方向の長さに形成されてなる。また、円弧部９２ｂは、鏡筒２３ａの外周にその周方向及び軸方向に移動可能な弾性力で形成されている。円弧部９２ｂの基部９２ａが連接されている部分は、基部９２ａより厚さが厚く形成されて、円弧部９２ｂと基部９２ａの境目に段部が形成されている。この基部９２ａの下面にスコープ取付部材９１の基部９１ａの上面が接触した状態でスコープ取付部材９１と発光部取付部材９２が連結手段９３によって連結される。
【００５４】
連結手段９３は、スコープ取付部材９１と発光部取付部材９２を互いに移動可能に連結することができればその構成は特に限定されず、スコープ取付部材９１と発光部取付部材９２のいずれか一方の取付部材、例えば、スコープ取付部材９１に取り付けられる支持部材５４と、残りの他方の取付部材、例えば、発光部取付部材９２に設けられ支持部材５４が挿入される穴９５とを有している。支持部材５４は、例えば、スコープ取付部材９１の基部９１ａの上面から直交する方向すなわちスコープ取付部材９１をスコープ４に取り付けたときスコープ４の光軸に対して直交する方向に延びて取り付けられている。支持部材５４は、例えば、操作ネジである。この支持部材５４のネジ部が螺合するネジ穴が発光部取付部材９２の基部９２ａに設けられている。穴９５は、支持部材５４のネジ部が挿入されて貫通可能であるが、操作部５４ａが挿入できない大きさで発光部取付部材９２の基部９２ａに形成されている。また、穴９５は、発光部取付部材９２の基部９２ａの長手方向（円弧部９２ｂの軸に対して直交する方向）に長く支持部材５４のネジ部が長手方向に移動し得る長穴に形成されている。この穴９５の長手方向の長さは任意に設定される。
【００５５】
これにより、支持部材５４のネジ部をワッシャーを通して発光部取付部材９２の基部９２ａの穴９５に上面から挿入して貫通させつつスコープ取付部材９１の基部９１ａの
に螺合させて操作部５４ａとスコープ取付部材９１の基部９１ａで発光部取付部材９２の基部９２ａを締め付けることでスコープ取付部材９１と発光部取付部材９２が連結されるようになっている。また、支持部材５４をスコープ取付部材９１の基部９１ａに対して回転させて操作部５４ａとスコープ取付部材９１の基部９１ａによる発光部取付部材９２の基部９２ａの締め付けを緩めて、スコープ取付部材９１に対して発光部取付部材９２を支持部材５４を軸に回転させることで、スコープ取付部材９１に対する発光部取付部材９２の位置が調節されるようになっている。さらに、支持部材５４が穴９５の長手方向に移動し得る範囲でスコープ取付部材９１に対する発光部取付部材９２の位置が調節されるようになっている。
【００５６】
また、図８に示す例では、取付部材９０は、スコープ用取付部材２９に発光部２３を取り付けるものである。この取付部材９０は、図８に示すように、発光部２３の鏡筒２３ａが取り付けられる発光部取付部材９２と、スコープ用取付部材２９に発光部取付部材９２を互いに移動可能に連結する連結手段９７とを有している。この発光部取付部材９２は、図７に示す取付部材９０の発光部取付部材９２と同じであるのでその説明を省略し同一符号を付する。また、連結手段９７は、図７に示す取付部材９０の連結手段９３との異なる点が発光部取付部材９２を連結する相手がスコープ取付部材９１でなくスコープ用取付部材２９である点で基本的な構成が同じであるので、その説明を省略する。これにより、支持部材５４のネジ部をワッシャーを通して発光部取付部材９２の基部９２ａの穴９５に上面から挿入して貫通させつつスコープ用取付部材２９のネジ穴に螺合させて操作部５４ａとスコープ用取付部材２９で発光部取付部材９２の基部９２ａを締め付けることでスコープ用取付部材２９と発光部取付部材９２が連結されるようになっている。また、支持部材５４をスコープ用取付部材２９に対して回転させて操作部５４ａとスコープ用取付部材２９による発光部取付部材９２の基部９２ａの締め付けを緩めて、スコープ用取付部材２９に対して発光部取付部材９２を支持部材５４を軸に回転させることで、スコープ用取付部材２９に対する発光部取付部材９２の位置が調節されるようになっている。さらに、支持部材５４が穴９５の長手方向に移動し得る範囲でスコープ用取付部材２９に対する発光部取付部材９２の位置が調節されるようになっている。
【００５７】
この第３の検眼鏡９を用いて眼底の倒像検査を行うには、まず、装着体２２をメガネのように頭部１１にかけて装着する。装着後、連結機構２４によってスコープ４の位置を調節する。スコープ４の位置調節は、検者が目視で検査対象者の目を観察しながら眼底検査を行うために片手で持った集光レンズ３に映る像がスコープ４で見られるように行う。スコープ４の位置調節後に、ＬＥＤを光源として発光部２３の鏡筒２３ａから照射された光が患者等の検査対象者の瞳孔から眼底すなわち網膜に照射されるように鏡筒２３ａの位置すなわち発光部２３の位置を連結手段９３、９７によって調節する。
【００５８】
具体的には、この調節は、支持部材５４をスコープ取付部材９１又はスコープ用取付部材２９に対して回転させて操作部５４ａとスコープ取付部材９１又はスコープ用取付部材２９による発光部取付部材９２の基部９２ａの締め付けを緩めて、スコープ取付部材９１又はスコープ用取付部材２９に対して発光部取付部材９２を支持部材５４を軸に回転させたり、支持部材５４が穴９５の長手方向に移動し得る範囲でスコープ取付部材９１又はスコープ用取付部材２９に対して発光部取付部材９２を移動させたりして行う。これにより、スコープ４に対して発光部２３の位置を所望の位置に容易に位置決めでき、かつ、発光部２３の位置の微調節を行える。また、取付部材９０が図７に示すように構成されている場合には、さらに、取付部材９０すなわち発光部２３をスコープ４の外周に対してその周方向に移動することができ、かつ、発光部２３をスコープ４の光軸方向にも移動することができるので、スコープ４に対して発光部２３の位置を所望の位置により一層容易に位置決めできる。
【００５９】
このようにスコープ４及び発光部２３の位置決めを行ってから、発光部２３から光を眼底に照射してこの眼底の観察を行うとき、スコープ４で集光レンズ３に映る倒像を正像に転換された状態で見ることができる。すなわち、第３の検眼鏡９を用いて光を照射した眼底を観察するための集光レンズ３越しの倒像を正像に転換して観察することができる。その結果、熟練を要することなく眼底の観察がし易く、かつ、検査しながら検査対象者の眼に対して強膜圧迫等の手技をし易くなる。また、検査内容をカルテに正確に記入することができる。
【００６０】
スコープ４が、取付部材９０に取り付けられ両端部間の距離が可変可能な円筒状の鏡筒４１と、鏡筒４１の一方の端部に設けられた第１の凸レンズ４２及び鏡筒４１の他方の端部に設けられた第２の凸レンズ４３からなるレンズ部４４とを有してなることで、簡単な構造でスコープ４を形成することができる。
【００６１】
第１の凸レンズ４２と第２の凸レンズ４３に度の異なる凸レンズを用い、かつ、第１の凸レンズ４２と第２の凸レンズ４３を逆にして鏡筒４１を取付部材９０に取り付けられるようにする、すなわち、第１の凸レンズ４２が対物レンズに第２の凸レンズ４３が接眼レンズとなる第１パターンと第１の凸レンズ４２が接眼レンズに第２の凸レンズ４３が対物レンズとなる第２パターンの２つのパターンで鏡筒４１の取付を行えるようにすること、例えば、一方のパターンのとき接眼レンズとなる凸レンズに映る像の倍率を略等倍に、他方のパターンのとき接眼レンズとなる凸レンズに映る像の倍率を等倍を超える倍率となるようにすることで、眼底の観察や強膜圧迫等の手技を行う際の画像を観察や手技に応じて変えることができるので、汎用性が高い。
【００６２】
なお、発光部２３の鏡体２３ａの外径とスコープ４の鏡筒４１の外径を同じ径で形成し、スコープ用取付部材２９、取付部材９０のスコープ取付部材９１及び発光部取付部材９２を外径が同じ径の発光部２３の鏡体２３ａとスコープ４の鏡筒４１のいずれか一方をそれぞれ取付可能に形成するようにしてもよい。これにより、発光部２３とスコープ４の配置位置を任意に設定することが可能となる。
【符号の説明】
【００６３】
１  アタッチメント
２  検眼鏡
３  集光レンズ
４  スコープ
５  取付部材
８  検眼鏡
９  検眼鏡
１１  頭部
２２  装着体
２３  発光部
２３ａ  鏡筒
２４  連結機構
２９  スコープ用取付部材
４１  鏡筒
４２  第１の凸レンズ
４３  第２の凸レンズ
４４  レンズ部
５１  検眼鏡取付部材
５２  スコープ取付部材
５３  連結手段
５４  支持部材
５５  長穴
９０  取付部材
９１  スコープ取付部材
９２  発光部取付部材
９３  連結手段
９５  長穴
９７  連結手段
【図１】
0005766965.tif 000002
【図２】
0005766965.tif 000003
【図３】
0005766965.tif 000004
【図４】
0005766965.tif 000005
【図５】
0005766965.tif 000006
【図６】
0005766965.tif 000007
【図７】
0005766965.tif 000008
【図８】
0005766965.tif 000009